(57)【要約】【課題】大量のメダルが払い出されることを考慮すると共に、遊戯者の利便性をも考慮したメダル払い出し口を有するゲーム装置を提供する。【解決手段】メダル払い出し口２８として、前面パネル６０に大量のメダルを貯留できる大型のメダル受け皿６２が取り付けられている。メダル受け皿６２内部には、２枚の三角形状のカップ止め部６４ａ、６４ｂが形成されている。メダルを収容するためのメダルカップ７０をカップ止め部６４ａ、６４ｂの間に置くことにより、所定の位置にメダルカップ７０が固定される。【選択図】図５
2006223606.tif 000002
【特許請求の範囲】
【請求項１】
メダルを払い出すゲーム装置であって、メダル出口から払い出されるメダルを受けるためのメダル受け皿と、前記メダル受け皿の所定位置にメダルカップを載置するカップ位置ガイド手段とを有することを特徴とするゲーム装置。
【請求項２】
請求項１記載のゲーム装置において、
前記メダル受け皿の奥行きは、前記メダルカップの底部外径の１〜１．１倍であり、前記メダル受け皿の横幅は、前記メダルカップの底部外径の１．５倍以上である
ことを特徴とするゲーム装置。
【請求項３】
請求項１又は２記載のゲーム装置において、
前記カップ位置ガイド手段は、前記メダル受け皿底部に設けられた２枚の板部材であって、前記２枚の板部材の間隔は前記メダルカップの底部外径の１〜１．１倍である
ことを特徴とするゲーム装置。
【請求項４】
請求項１又は２記載のゲーム装置において、
前記カップ位置ガイド手段は、前記メダル受け皿底部に設けられた円形の凹みであって、前記凹みの直径は前記メダルカップの底部外径の１〜１．１倍である
ことを特徴とするゲーム装置。
【発明の詳細な説明】
【技術分野】
【０００１】
本発明はゲーム装置に関し、特に、遊戯者がメダルを投入してゲームを行い、遊戯者にメダルが払い出されるメダルゲームを行うゲーム装置に関する。
【背景技術】
【０００２】
メダルゲーム装置のひとつにメダルプッシャと呼ばれるものがある。メダルプッシャは、遊戯者が投入したメダルをテーブル上に蓄積し、このテーブル上に蓄積されたメダルをメダル押し出し部材によって押し出して、押し出されたメダルを遊戯者に払い戻すメダルゲーム装置である。このようなメダルゲーム装置では、遊戯者が大量に負けることがない代わりに、遊戯者が大量に勝つこともない。このため、遊技性に乏しく、遊戯者の射幸心をそそることがなかった。
【０００３】
最近では、ひとつの大型筐体の周囲に数台のサテライトを設けたメダルゲーム装置が増えてきている。このようなメダルゲーム装置は、個々のサテライトで通常のメダルプッシャゲームを行いながら、全てのサテライトが参加できる共通のゲームを行い、大量のメダルを払い出すようにする等の新しい趣向を取り入れる試みがなされている。
【特許文献１】特開２００４−１１３５６３
【発明の開示】
【発明が解決しようとする課題】
【０００４】
しかしながら、従来のメダルゲーム装置では大量のメダルが払い出されることを考慮した構造にはなっていなかった。
【０００５】
本発明の目的は、大量のメダルが払い出されることを考慮すると共に、遊戯者の利便性をも考慮したメダル払い出し口を有するゲーム装置を提供することにある。
【課題を解決するための手段】
【０００６】
本発明の一態様によるゲーム装置は、メダルを払い出すゲーム装置であって、メダル出口から払い出されるメダルを受けるためのメダル受け皿と、前記メダル受け皿の所定位置にメダルカップを載置するカップ位置ガイド手段とを有することを特徴とする。
【０００７】
上述したゲーム装置において、前記メダル受け皿の奥行きは、前記メダルカップの底部外径の１〜１．１倍であり、前記メダル受け皿の横幅は、前記メダルカップの底部外径の１．５倍以上であればよい。
【０００８】
上述したゲーム装置において、前記カップ位置ガイド手段は、前記メダル受け皿底部に設けられた２枚の板部材であって、前記２枚の板部材の間隔は前記メダルカップの底部外径の１〜１．１倍であればよい。
【０００９】
上述したゲーム装置において、前記カップ位置ガイド手段は、前記メダル受け皿底部に設けられた円形の凹みであって、前記凹みの直径は前記メダルカップの底部外径の１〜１．１倍であればよい。
【００１０】
本発明の他の態様によるゲーム装置は、複数のサテライトを有するゲーム装置であって、サテライト間の仕切部に設けられ、前記仕切部の側方である第１の方向と、前記仕切部の上方である第２の方向とを照明する照明手段を有することを特徴とする。
【発明の効果】
【００１１】
以上の通り、本発明によれば、メダル出口から払い出されるメダルを受けるためのメダル受け皿と、メダル受け皿の所定位置にメダルカップを載置するカップ位置ガイド手段とを設けたので、プレイヤの利便性を損なうことなく、大量のメダル払い出しを行うことができる。
【発明を実施するための最良の形態】
【００１２】
［一実施形態］
本発明の一実施形態によるゲーム装置を図１乃至図７を用いて説明する。
【００１３】
本実施形態によるメダルゲーム装置の外観を図１に示す。このメダルゲーム装置は略正八角形の角柱を縦方向に２つに分割した形状の筐体１０を有している。
【００１４】
（ビッグモノポリ（登録商標）部）
筐体１０の中央には大きな円形のルーレット型のビッグモノポリ部１２が設けられている。ビッグモノポリ部１２には回転する表裏２枚の円環ボード１３が設けられ、ビッグモノポリ部１２の頂部には、円環ボード１３のマスを指し示すための三角形の指示部１４が設けられている。
【００１５】
２枚の円環ボード１３の周縁にはモノポリで用いる４０個のマスが描かれている。ボードゲームのモノポリにおいて正方形のボードの周縁に描かれた４０個のマスと同じものである。回転している円環ボード１３が停止したときに指示部１４が同じマスを指し示すように、正面側と背面側の円環ボード１３の対応する位置には同じマスが描かれている。
【００１６】
ビッグモノポリ部１２の円環ボード１３内部の正面上部には、ディスプレイモニタ１５が設けられており、ビッグモノポリゲームにおける各種情報を表示する。
【００１７】
サテライト２０においてプレイしているプレイヤは所定の条件を満足することにより、ビッグモノポリ部１２を用いた全プレイヤ共通のモノポリゲーム（以下「ビッグモノポリゲーム」という）をプレイする。
【００１８】
ビッグモノポリゲームでは、プレイヤが順番に円環ボード１３を回転させる。回転する円環ボード１３が停止したときに指示部１４により指し示されたマスの内容にしたがってゲームを進行する。
【００１９】
（サテライト部）
筐体１０のビッグモノポリ部１２の正面側と背面側にはそれぞれ３台、合計６台のサテライト２０が設けられている。サテライト２０間は透明な仕切板２１により仕切られている。サテライト２０間の仕切板２１には特徴的な照明が設けられている。仕切板２１の照明の詳細については後述する。
【００２０】
サテライト２０は、上部のゲーム部と中央の操作パネル部と下部のメダル払い出し部から構成されている。
【００２１】
上部のゲーム部には、メダルを内部に投入するためのメダル投入手段２２Ａ、２２Ｂが左右に配置されている。各サテライト２０では二人の遊戯者が遊技することができるが、一人の遊戯者が左右のメダル投入手段２２Ａ、２２Ｂを操作して遊戯してもよい。
【００２２】
中央の操作パネル部には、複数の操作ボタン２４が設けられている。
【００２３】
下部のメダル払い出し部には、遊戯者に払い戻すメダルが排出されるメダル払い出し口２８が設けられている。メダル払出手段（図示せず）により排出されたメダルが、このメダル払い出し口２８から払い出される。メダル払い出し口２８の詳細については後述する。
【００２４】
（サテライト内部）
サテライト２０の内部を図２に示す。サテライト２０のゲームフィールドの底面には固定台３０が設けられている。固定台３０上をその奥行き方向へ往復スライドする移動テーブル３２が設けられている。固定台３０及び移動テーブル３２の上部にはメダルが投入されるメダルテーブル３４が設けられている。
【００２５】
メダルテーブル３４の奥には、複数のチャッカを有するチャッカ部材３６が設けられている。図２に示すように、９個のチャッカ３６ａ、３６ｂ、…が横一列に並べられていて、メダル投入手段２２Ａ、２２Ｂから投入されたメダルは、ほとんどの場合いずれかのチャッカ３６ａ、３６ｂ、…を通過する。チャッカ３６ａ、３６ｂ、…を通過したメダルは、移動テーブル３２上に落下する。チャッカ３６間の仕切りにより弾かれて、チャッカ３６ａ、３６ｂ、…に入らなかったメダルも、メダルテーブル３４上を転がって移動テーブル３２又は固定台３０上に落下する。遊戯者はメダル投入手段２２Ａ、２２Ｂをチャッカ部材３６のいずれかチャッカ３６ａ、３６ｂ、…を通過させようと狙いを定める。
【００２６】
チャッカ部材３６の各チャッカ３６ａ、３６ｂ、…にはそれぞれ検出手段（図示せず）が設けられており、メダル投入手段２２Ａ、２２Ｂから投入されたメダルがチャッカ３６ａ、３６ｂ、…を通過したかを検出する。
【００２７】
チャッカ部材３６の直ぐ奥にはゲーム画面を表示するディスプレイモニタ３８が設けられている。チャッカ部材３６の長さはディスプレイモニタ３８の下辺の長さと略同じであり、ディスプレイモニタ３８の下辺の直ぐ近傍にチャッカ部材３６が設けられている。ディスプレイモニタ３８には、ゲーム画面や警告画面が表示される。ディスプレイモニタ３８上部にはランプ３９が設けられている。
【００２８】
図３にゲーム画面の具体例を示す。ディスプレイモニタ３８の下辺近傍の画像に９個のチャッカ３６ａ、３６ｂ、…の仕切画像を図示する。これにより、遊戯者からは、ディスプレイモニタ３８の表示画像と現実のチャッカ部材３６とが連続しているかのように見える。
【００２９】
ゲーム画面にはモノポリのボードゲームと同様のゲームボードが表示されている。プレイヤは各サテライト２０において、メダルを投入しながらひとりでプレイする特別ルールのモノポリゲーム（以下「ミニモノポリゲーム」という）をプレイする。
【００３０】
メダルテーブル３４の左側には、メダルボックス４０が設けられている。メダルボックス４０には、メダルを搬送するためのメダル搬送レール４２が設けられ、メダル供給部４４からメダル搬送レール４２を介してメダルボックス４０にメダルが供給される。
【００３１】
大当たり又は中当たりが発生すると、メダルボックス４０からメダルテーブル３４上に多量のメダルが供給される。大当たりの場合には、これが何回も繰り返され、遊戯者の興奮が持続する。
【００３２】
（サテライトの仕切り照明）
サテライト２０間の仕切板２１には特徴的な仕切照明部５０が設けられている。この仕切照明部５０について図４を用いて説明する。図４(a)は仕切照明部５０の斜視図であり、図４（ｂ）は仕切照明部５０の断面図である。
【００３３】
仕切板２１の上部には仕切照明部５０が設けられている。仕切照明部５０は、照明用のネオン管５２と、ネオン管５２上に設けられた透明なアクリル板５４により構成されている。アクリル板５４は、ネオン管５２側の端面が直線形状であり、その対向側の端面が円弧形状である。
【００３４】
２組のネオン管５２とアクリル板５４とが並列して照明保持部５６に保持されている。照明保持部５６の側面にはネオン管５２が外部から見えるような直線的な開口５８が形成されている。
【００３５】
ネオン管５２はインバータ型であって、点灯時にインバータの電圧を変えることにより、一端から徐々に多端に向かって発光部が伸びていく特徴的な発光をさせることができる。
【００３６】
アクリル板５４は、ネオン管５２からの発光を導光する導光板として機能する。ネオン管５２の光を導光して乱反射により円弧形状の端面を発光させる。
【００３７】
ネオン管５２の発光時には、一端から徐々に多端に向かって発光部が伸びていくが、その発光の様子は、照明保持部５６の開口５８から見ることができると共に、同時に、アクリル板５４の円弧形状端面からも見ることができる。
【００３８】
照明保持部５６の開口５８は、サテライト２０で遊戯しているプレイヤの側に向いており、アクリル板５４の円弧形状端面は、ゲーム装置後方でゲームの様子を眺めている観客の側に向いている。
【００３９】
これにより、大当たり等の特別な演出照明をするときに、ネオン管５２の点灯、消灯を繰り返すことにより、照明保持部５６側面の開口５８から見えるネオン管５２からと、アクリル板５４の円弧状端面からとで効果的に演出照明を行うことができる。照明保持部５６側面の開口５８からの照明により、サテライト２０でプレイしているプレイヤに大当たりの高揚感を与えると共に、アクリル板５４の円弧形状端面からの照明により、ゲームの様子を眺めている観客にも大当たりの興奮を伝えることができる。
【００４０】
プレイヤはサテライトの席に座っており、その状態ではプレイヤの目の位置がアクリル板で囲まれた空域内にあり、アクリル板の端面発光は見えず、左右の照明保持部の開口から直接的にネオン管が見え、大当たり時等にまばゆく光が輝き、高揚感を味わう。
【００４１】
一方、筐体の後方に立ってゲームを見ているギャラリーには、照明保持部の開口のネオン管の直接的な発光は開口により遮られ、あまり見えないが、サテライト間のアクリル板の端面発光はよく見える。大当たり中のサテライトの両側にあるアクリル板の端面発光が淡い輝きで発光するので、ゲームを見ているギャラリーは、いまどこのサテライトが大当たり中なのか、どのサテライトがよく当たっているのが分かり、そこが開いたら自分もそのサテライトでゲームをしてみたいという気にさせる。
【００４２】
なお、小当たり、中当たり、大当たり、メインゲーム参加中、の各状態において、照明の点灯状態を変化させることで、現在、そのサテライトがどの状態なのかをギャラリーに示すことが可能である。
【００４３】
なお、ネオン管５２は蛍光灯、ＬＥＤ等の他の照明でもよい。アクリル板５４は透明又は半透明の他の材料からなるものでもよい。照明保持部５６は図示した構造でなくてもよい。
【００４４】
（メダル払い出し口）
サテライト２０下部のメダル払い出し部には、遊戯者に払い戻すメダルが排出されるメダル払い出し口２８が設けられている。このメダル払い出し口２８について、図５乃至図７を用いて説明する。図５はメダル払い出し口２８の斜視図であり、図６はメダル払い出し口２８の平面図であり、図７はメダル払い出し口２８の断面図である。
【００４５】
本実施形態では、図５に示すように、メダル払い出し口２８として、前面パネル６０に大量のメダルを貯留できる大型のメダル受け皿６２が取り付けられている。メダル受け皿６２内部には、図６に示すように、２枚の三角形状のカップ止め部６４ａ、６４ｂが形成されている。メダルカップ７０は底部直径が開口部直径よりも小さい戴頭円錐形であり、遊戯者が手に持ちやすい外形形状をしている。
【００４６】
図５に示すように、メダルを収容するためのメダルカップ７０をカップ止め部６４ａ、６４ｂの間に置くことにより、所定の位置にメダルカップ７０が固定される。
【００４７】
三角形状のカップ止め部６４ａ、６４ｂは、メダル受け皿６２にメダルカップ７０を置く際のガイドとして機能すると共に、メダルカップ７０が置かれていない場合にメダル受け皿６２に蓄積されたメダルを手で取出しやすくする機能をも有している。
【００４８】
メダル受け皿６２の奥行きは、図７に示すように、メダルカップ７０の底部の大きさより少し大きい。メダルカップ７０をメダル受け皿６２に置いたときに、メダル受け皿６２と、カップ止め部６４ａ、６４ｂとにより、メダルカップ７０は前後左右にずれることなく固定される。
【００４９】
プレイヤに払い出されるメダルは、図７に示すように、前面パネル６０の内側であり、メダル受け皿６２上方のメダル出口６６から排出されて落下する。
【００５０】
メダル受け皿６２にメダルカップ７０を置かない場合には、図７（ａ）に示すように、排出されたメダルは直接メダル受け皿６２に入り貯留される。
【００５１】
メダル受け皿６２にメダルカップ７０を置いた場合には、図７（ｂ）に示すように、排出されたメダルはメダルカップ７０に入り貯留される。メダルカップ７０から溢れたメダルはメダル受け皿６２に受け止められて貯留される。
【００５２】
したがって、メダル受け皿６２の奥行きは、メダルカップ７０が前後にずれない程度の大きさ、例えば、メダルカップ７０の底部外径の１〜１．１倍程度であればよい。
【００５３】
また、メダル受け皿６２の横幅は、大量のメダルを貯留するために十分の大きさであって、メダルカップ７０を置いた場合にはメダルカップ７０から溢れたメダルを受け止めるために十分の大きさ、例えば、メダルカップ７０の底部外径の１．５倍以上であればよい。
【００５４】
本実施形態によれば、プレイヤはメダルカップを用いて効率的なストレスのないメダルゲームを楽しむことができる。
【００５５】
通常、メダルゲームではプレイヤはメダルが入ったメダルカップ７０を操作パネル部に置き、メダルカップ７０からメダルを取り出しながらメダル投入手段２２Ａ、２２Ｂによりメダルを投入する。メダルカップ７０のメダルがなくなると、これまでは、一旦ゲームを中断して、メダル払い出し口２８に貯留したメダルを手でメダルカップ７０に移し替えて、その後ゲームを再開していた。
【００５６】
本実施形態では、メダルカップ７０をメダル受け皿６２に置いておけば、排出されたメダルがメダルカップ７０に自動的に貯留される。このため、操作パネル部に置いたメダルカップ７０のメダルがなくなっても、メダル受け皿６２に置かれメダルが貯留されたメダルカップ７０と交換するだけで、ゲームをほとんど中断することなく、投入するメダルの補給をすることができる。
【００５７】
また、プレイヤによって、メダル受け皿６２に直接メダルを貯めてプレイすることを習慣とするものもいるし、メダルカップ７０にメダルを貯めてプレイすることを習慣とするものもいる。本実施形態によれば、このような様々なタイプのプレイヤにも満足できるメダル払い出し口の構造を提供できる。
【００５８】
このように本実施形態において、カップをメダル受け皿に差し入れるにはプレイヤが座席に座った状態でメダルカップを手にしてメダル受け皿に斜めにして差し入れる。その際に筐体に座っているプレイヤの視点からは、メダル受け皿をほぼ上方から見下ろすことになる。また、遊戯場はカジノの雰囲気を出すために照明が暗いので、メダル受け皿の奥側が見え難い。その際にカップ止め部材が斜めの三角形状になっているので、メダルカップを略上方から差し入れる際にメダルカップの底部が三角形状の斜めの辺に自然と差し入れる形になり、メダルカップの底部が斜めの辺をガイドにしてメダル受け皿に落ちつく。
【００５９】
また、メダルカップをメダル受け皿から取り出す際にも三角形状の斜め辺をガイドにメダルカップをやや斜めにして上方へ持ち上げるように取り出すのがサテライトテーブルに座っているプレイヤにとり取りやすい姿勢である。その際に三角形状の斜め辺をメダルカップの側面あるいは底部が、メダルが一杯入ったメダルカップを取り出す際に滑り、容易にメダル受け皿から取り出しやすいのである。
【００６０】
さらに、メダルカップが入っていないメダル受け皿にメダルが入っている場合に、プレイヤは手を入れて掻き出すようにメダルを取り出すことになるが、その際に、カップ止め部材は三角形状になっているので、手前にメダルを掻き出すのに邪魔にならず、怪我することもなく、メダルを取出しやすいのである。
【００６１】
なお、メダル受け皿６２内部にカップ止め部６４ａ、６４ｂを形成する代わりに、メダル受け皿６２底部にメダルカップ７０の底部形状にあわせた凹みを形成してもよい。凹みの直径はメダルカップ７０が前後にずれない程度の大きさ、例えば、メダルカップ７０の底部外径の１〜１．１倍程度であればよい。
【００６２】
［変形実施形態］
本発明は上記実施形態に限らず種々の変形が可能である。
【００６３】
例えば、上記実施形態では、メダルプッシャゲームを行うメダルゲーム装置に本発明を適用したが、メダルプッシャゲームに限らず、他のメダルゲームを行うゲーム装置であってもよい。
【００６４】
また、上記実施形態では、メダルを用いるメダルゲーム装置に本発明を適用したが、ゲームにおいて遊技価値を有するもので物理的な形態があるもの、すなわち、物理的遊技価値であれば、メダルに限らず、パチンコ玉、トークン、通貨、景品等の他の形態であってもよい。
【００６５】
また、上記実施形態では、ＩＣカード等の情報記憶媒体を用いないゲーム装置に本発明を適用したが、ＩＣカード、磁気カード等の情報記憶媒体を用いるゲーム装置であってもよいし、他のゲーム装置やゲーム装置内のサテライト内のメモリ、ゲーム装置がインターネットを介して通信可能なゲームサーバ内のメモリを用いるゲーム装置であってもよい。
【図面の簡単な説明】
【００６６】
【図１】本発明の一実施形態によるメダルゲーム装置の外観を示す斜視図である。
【図２】本発明の一実施形態によるメダルゲーム装置のサテライト内部を示す図である。
【図３】本発明の一実施形態によるメダルゲーム装置におけるミニモノポリゲームのゲーム画面を示す図である。
【図４】本発明の一実施形態によるメダルゲーム装置におけるサテライトの仕切照明部を示す斜視図及び断面図である。
【図５】本発明の一実施形態によるメダルゲーム装置におけるサテライトのメダル払い出し口を示す斜視図である。
【図６】本発明の一実施形態によるメダルゲーム装置におけるサテライトのメダル払い出し口の平面図である。
【図７】本発明の一実施形態によるメダルゲーム装置におけるサテライトのメダル払い出し口の断面図である。
【符号の説明】
【００６７】
１０…筐体
１２…ビッグモノポリ部
１３…円環ボード
１４…指示部
２０…サテライト
２２Ａ、２２Ｂ…メダル投入手段
２４…操作ボタン
２８…メダル払い出し口
３０…固定台
３２…移動テーブル
３４…メダルテーブル
３６…チャッカ部材
３６ａ、３６ｂ、…、３６ｉ…チャッカ
３８…ディスプレイモニタ
３９…ランプ
４０…メダルボックス
４２…メダル搬送レール
４４…メダル供給部
４６…表示ランプ
５０…仕切照明部
５２…ネオン管
５４…アクリル板
６０…前面パネル
６２…メダル受け皿
６４ａ、６４ｂ…カップ止め部
６６…メダル出口
７０…メダルカップ
【図１】
2006223606.tif 000003
【図２】
2006223606.tif 000004
【図３】
2006223606.tif 000005
【図４】
2006223606.tif 000006
【図５】
2006223606.tif 000007
【図６】
2006223606.tif 000008
【図７】
2006223606.tif 000009